(57)【要約】【課題】  車両乗員が普段使用している携帯型端末を車に取り付けて使用できるので、車外の家庭や会社等と車内をシームレスにして使用することができ、非常に便利なパーソナルコンピュータの使用状況にでき、多機能の車載装置の表示ができるパーソナル車載装置において、安全かつ簡便に大型のモニタを有する携帯端末を着脱できる携帯型パーソナルコンピュータロック構造を提供すること。【解決手段】  PCの底面を支持し、PCを固定するロックキー５０を有するPC受け部４０と、PC受け部４０の左右両側を進退自在に支持するアウターケース３０と、PC受け部４０がアウターケース３０に対して手前の所定位置までスライドすると、リリース部３１がロックキー５２によるPCの固定を解除する。【選択図】        図１
2006062399.tif 000002
【特許請求の範囲】
【請求項１】
車両のインストルメントパネル内部に設けられ、携帯型パーソナルコンピュータを取り外し自在に車両に取り付けるPC取付手段と、
前記携帯型パーソナルコンピュータによる表示を車両で行う表示手段と、
を備えた携帯型パーソナルコンピュータ車載装置における携帯型パーソナルコンピュータロック構造であって、
前記携帯型パーソナルコンピュータの底面を支持し、前記携帯型パーソナルコンピュータを固定するロック手段を有する可動スライド部と、
同可動スライド部の左右両側を進退自在に支持するスライド支持部と、
前記可動スライド部が前記スライド支持部に対して手前の所定位置までスライドすると、前記ロック手段による携帯型パーソナルコンピュータの固定を解除する解除手段と、
からなることを特徴とする携帯型パーソナルコンピュータロック構造。
【請求項２】
請求項１に記載された携帯型パーソナルコンピュータロック構造において、
前記携帯型パーソナルコンピュータの左右側面は、
矩形に凹んだ凹部を有し、
前記可動スライド部は、携帯型パーソナルコンピュータの奥側端を受ける受け部を有し、
前記ロック手段は、
前記凹部の左右外側の前記スライド支持部上でスライド方向に円接する回転方向に回転自在なロックキー体と、
同ロックキー体の回転中心より奥側の前記凹部を内側に向かって付勢する弾性体と、
を備え、
前記ロックキー体は、
回転中心より奥側の凹部に近い位置でかつ内側に突出した位置から手前側の端部で凹部から遠い位置までの傾斜面を有すものであり、
前記解除手段は、
前記ロックキー体の回転中心と前記携帯型パーソナルコンピュータの凹部の間で、前記可動スライド部に進退方向に長く設けたスリットと、
前記スライド支持部の一部を前記スリットの下方から上方に突出させるように設けたリリース部と、
からなり、
携帯型パーソナルコンピュータを可動スライド部の奥側に差し込むと、弾性体で付勢されたロックキー体が凹部と係合して固定し、携帯型パーソナルコンピュータと可動スライド部をスライド支持部に対して手前側にスライドさせると、スリットにそってリリース部が移動しロックキー体の傾斜面と係合してロックキー体が回転し固定が解除する、
ことを特徴とする携帯型パーソナルコンピュータロック構造。
【請求項３】
請求項１または請求項２に記載された携帯型パーソナルコンピュータロック構造において、
前記携帯型パーソナルコンピュータは、
左右側面に、矩形に凹んだ凹部を有するカバーを取り付けたものであり、
大きさが所定の範囲内で違う携帯型パーソナルコンピュータを取り付ける取付手段を前記カバーに設けた、
ことを特徴とする携帯型パーソナルコンピュータロック構造。
【請求項４】
請求項２又は請求項３に記載された携帯型パーソナルコンピュータロック構造において、
前記可動スライド部は、
携帯型パーソナルコンピュータ車載装置側のコネクタを前記受け部に配置し、
前記ロックキー体により携帯型パーソナルコンピュータの奥側面が前記受け面に押し付けられることにより、携帯型パーソナルコンピュータのコネクタと、前記受け面の携帯型パーソナルコンピュータ車載装置側のコネクタとが接続する、
ことを特徴とする携帯型パーソナルコンピュータロック構造。
【発明の詳細な説明】
【技術分野】
【０００１】
本発明は、ノートPC、タブレットPCなどの汎用端末である携帯型パーソナルコンピュータを、車両に取り付けて使用できるようにする携帯型パーソナルコンピュータロック構造の技術分野に属する。
【背景技術】
【０００２】
従来においては、携帯電話やPDA（携帯端末）を車の中に持ち込み、メールやナビの情報を画面に直接描画している。また、PDA専用の設置場所を用意し、GPSとの接続を行い車外と情報を送受信している（例えば、特許文献１参照）。
また、従来においては、車載用のオーディオラックとして、爪部を爪ロック穴部に係合させたり、C形状のロック部材を溝部に係合させたりして、ラック内にCDドライブなどをロックしている（例えば、特許文献２参照）。
【特許文献１】特開２００２−２３６６３２号公報（第２−２０頁、全図）
【特許文献２】特開２０００−５２８１５号公報（第２−７頁、全図）
【発明の開示】
【発明が解決しようとする課題】
【０００３】
しかしながら、従来にあっては、PDAや携帯電話の画面は非常に小さいため、画面の視認性が悪かった。また、PDAの設置場所がドライバーの運転の妨げになる場合があった。さらに、PDAや携帯電話を使用する際、車との連動がないため、例えば運転中に携帯電話を使用することが可能になっているなど危険な使用環境となっていた。
【０００４】
また、ノート型パーソナルコンピュータを車内で使用する場合には、PDAや携帯電話に比べて大きいので、運転席におけるものではなかった。そのため、持ち込んでも使用しにくいものであった。
また、ノート型パーソナルコンピュータなど、比較的大きな携帯端末を従来のように単に爪等で固定するのみでは、取り付け、取り外しの際に、重さによる不安定により扱いにくいものとなってしまう。
【０００５】
本発明は、上記問題点に着目してなされたもので、その目的とするところは、車両乗員が普段使用している携帯型端末を車に取り付けて使用できるので、車外の家庭や会社等と車内をシームレスにして使用することができ、非常に便利なパーソナルコンピュータの使用状況にでき、多機能の車載装置の表示ができるパーソナル車載装置において、安全かつ簡便に大型のモニタを有する携帯端末を着脱できる携帯型パーソナルコンピュータロック構造を提供することにある。
【課題を解決するための手段】
【０００６】
上記目的を達成するため、本発明では、車両のインストルメントパネル内部に設けられ、携帯型パーソナルコンピュータを取り外し自在に車両に取り付けるPC取付手段と、前記携帯型パーソナルコンピュータによる表示を車両で行う表示手段とを備えた携帯型パーソナルコンピュータ車載装置における携帯型パーソナルコンピュータロック構造であって、前記携帯型パーソナルコンピュータの底面を支持し、前記携帯型パーソナルコンピュータを固定するロック手段を有する可動スライド部と、可動スライド部の左右両側を進退自在に支持するスライド支持部と、前記可動スライド部が前記スライド支持部に対して手前の所定位置までスライドすると、前記ロック手段による携帯型パーソナルコンピュータの固定を解除する解除手段とからなることを特徴とする。
なお、本発明において、携帯型パーソナルコンピュータとは、ノート型PCやタブレット型PCを含むものである。
【発明の効果】
【０００７】
よって、本発明にあっては、携帯型パーソナルコンピュータを安全かつ簡便に着脱することができる。
【発明を実施するための最良の形態】
【０００８】
以下、本発明の携帯型パーソナルコンピュータロック構造を実現する実施の形態を、請求項１，２，３，４に係る発明に対応する実施例１に基づいて説明する。
【実施例１】
【０００９】
まず、構成を説明する。
図１は実施例１の携帯型パーソナルコンピュータロック構造を示す斜視図である。図２は実施例１の携帯型パーソナルコンピュータロック構造を用いた携帯型パーソナルコンピュータロック車載装置の説明図である。図３は実施例１の携帯型パーソナルコンピュータロック構造の説明図である。図４は実施例１の携帯型パーソナルコンピュータロック構造のPC取り付けの作動状態を示す説明図である。図５は実施例１の携帯型パーソナルコンピュータ構造のPC取り外しの作動状態を示す説明図である。
実施例１の携帯型パーソナルコンピュータロック構造では、図２に示すように、車室内１のインストルメントパネル１２に、携帯型パーソナルコンピュータ（ノート型、タブレット型を含み、以下、PCと略す）の車載装置を設ける。
【００１０】
まず、実施例１のPCの車載装置及びロック構造の概要を説明すると、実施例１のPCの車載装置及びロック構造は、アウターケース３０、PC受け部４０、ロックキー５０を主な構成とし、PCを内部に収容したタブレットPCケース２０を、PC受け部４０にロックキー５０で固定し、PC受け部４０はアウターケース３０に対して進退方向にスライドする構造である。
【００１１】
次に、各部を説明していく。
まず、アウターケース３０は、PC受け部４０の左右両側を進退自在に支持す
るものであり、PC受け部４０の左右に設けられるものである。よって、アウターケース３０は、インストルメントパネル１２内部に固定される。
アウターケース３０の片側のみを詳細に説明する。
アウターケース３０は、PC受け部４０の底面部を面接して支持する平面部３０ａを設ける。この平面部３０ａの内外の側端は、進退方向に沿うものとする。平面部３０ａの外側は、Ｌ字状に折曲して立設するようにして、側部３０ｂを形成する。この側部３０ｂの内側には、進退方向に長く断面が略Ｃ形状のアウタースライドレール３２を設ける。
アウターケース３０の平面部の内側端部には、Ｌ字状に折曲して立設したリリース部３１を設ける。リリース部３１は、前端位置をアウタースライドレール３２の前端とほぼ同じ位置とし、そこから退行方向に所定長さとする。
【００１２】
次に、PC受け部４０について図３に示すように片側のみを詳細に説明する。左右は同じ構造とする。
PC受け部４０は、その左右両端部をアウターケース３０に支持されるものであり、PCを内部に収容したタブレットPCケース２０が取付けられるものである。
PC受け部４０は、広い矩形の平面部４０ａを有し、この平面部４０ａの奥側端部には、Ｌ字状に折曲して立設するようにした後端部４５を設ける。この後端部４５には、PCのコネクタと接続するPC車載装置側のコネクタ４６を設ける。
さらに、平面部４０ａの左右両端には、Ｌ字状に折曲して立設した側部４０ｂを設ける。この側部４０ｂの外側には、アウタースライドレール３２の略Ｃ形状の内側に係合するよう、コ字状の両端部の中を内側に凹ませた断面形状のインナースライドレール４７を設ける。さらに、PC受け部４０のPCの左右外側位置には、後端を開放し、進退方向に長いスリット４４を設ける。このスリット４４には、リリース部３１を下方から差込み上方へ突出させる。
アウタースライドレール３２に対するインナースライドレール４７の進退自在な係合と、スリット４４に対するリリース部３１の進退自在な係合により、アウターケース３０に対してPC受け部４０が進退自在にスライドする。
【００１３】
次に、ロックキー５０について詳細に説明する。
ロックキー５０は、進退方向に長い立体であり、進退方向の長さ途中で上下面から突出させた回転軸５２により水平方向に回転するものである。
ロックキー５０の形状は、外側側面に平面を有するようにし、内側側面は、手前側先端から所定の角度で奥側に行くに従って内側に向かう傾斜面を有するようにし、奥側の後端には、後端面を有するように構成したものである。
よって、傾斜面の後端部分は、内側の側面からさらに内側に突出した形状となる。
言い換えれば、上面を矢印の片側形状とし、この上面形状が上下に所定の厚みを有するようにしたものである。
さらに、平面で側面が形成されるロックキー５０の外側側面の後部には、上下に長い凹んだ溝５１を設ける。
ここで、スプリング５３について説明しておく、スプリング５３は、コイルスプリングの上端を外周方向に延伸させ、その端部を上方に向かって折曲し、一方、下端も外周方向に延伸させ、その端部は下方に向かって折曲する。
【００１４】
PC受け部４０のスリット４４の外側には、回転軸受け４２とスプリング固定穴４１を設け、ロックキー５０の下面から下方に突出する回転軸５２をスプリング５３の内穴に差し込むとともに、回転軸受け４２に挿入し、上部の回転軸５２も図示しないが回転軸受けに挿入する。スプリング５３の下端の外周側に延伸させた部分は、PC受け部４０のスプリング固定穴４１に挿入するようにし、スプリング５３上端の上方に折曲させた部分は、ロックキー５０の外側側面の溝５１に係合させて、ロックキー５０の奥側部分を内側に向かって付勢する。
次に、PC受け部４０の下面には、進退方向に長いラック７１を設け、ラック７１と出力軸に設けたギアを係合させたモータ７２を設け、進退自在なPC受け部４０を駆動で進退させるようにする。また、ロックキー５０の回転を検知する回転検知センサ７３を設ける。この回転検知センサ７３の検知結果はインストルメントパネル１２内部に設ける制御ユニット６０に入力し、制御ユニット６０の制御指令によりモータ７２は駆動されるものとする。
【００１５】
次に、車載するPCは、タブレットPCケース２０に収容するようにする。タブレットPCケース２０は、複数種類のPCより大きい形状にし、複数のPCの形状の違いをばねや緩衝材等により吸収するものとなっている。このタブレットPCケース２０の側面の奥側には、矩形の凹部であるロックキー用穴２１を左右に設ける。
PCの奥側である後端部には、コネクタ２２を有しており、タブレットPCケース２０の奥側である後端部からコネクタ２２が奥側に突出する構成である。
【００１６】
次に作用を説明する。
［PCの車両への取付、取り外し］
(a)PC取り付け
実施例１において、PCを車載するには、まずPCをタブレットPCケース２０に収容し、タブレットPCケース２０をインストルメントパネル１２に設けた挿入口１４に挿入する。この際には、PC受け部４０はアウターケース３０に対して進行した手前側に位置する。
PCを収容したタブレットPCケース２０がPC受け部４０の奥側に移動すると、タブレットPCケース２０の奥側端面がPC受け部４０の後端部４５に当接することになる。この際には、PCのコネクタ２２が車載装置側のコネクタ４６と係合して接続し、タブレットPCケース２０の側部のロックキー用穴２１が、ロックキー５０の位置まで達する。すると、ロックキー５０の奥側は、スプリングｔ５３により、内側に付勢されているので回転し、ロックキー５０の側方の突部分がロックキー用穴２１に入り込む。そして、ロックキー５０の側方突部分がロックキー用穴２１の穴の側壁となる奥側の面に当接し、タブレットPCケース２０をPC受け部４０の後端部４５とロックキー５０で手前側と奥側から挟むようにして固定する（図４参照）。このように進退方向に固定されることにより、コネクタ２２，４６の接続が保持される。
【００１７】
また、ロックキー５０の回転は、回転検知センサ７３で検知され、制御ユニット６０の制御指令によりモータ７２を駆動させて、PC受け部４０をアウターケース３０に対し、奥側に進行させる。
このように、PCを車両のインストルメントパネル１２の挿入口１４に挿入するだけで、確実にPCを車両に取付けることになる。
【００１８】
(b)PCの使用
車載装置に取付けたPCは、車載装置として用いることになり、PCのデータ、表示部等を車室内で車両の装置として使用してもよく、また、車室内でPCとして使用してもよい。
【００１９】
(c)PC取り外し
PCを取り外す際には、車載装置に対する使用者の操作により、取り外す入力が行われる。この操作入力を受けた制御ユニット６０は、モータ７２を回転させて、PC受け部４０を手前側に退行させる。すると、車両に固定されたアウターケース３０に対し、PC受け部４０が手前側にスライド移動することにより、PC受け部４０から見ると、スリット４４に対しリリース部４７が奥側に移動してくる。つまり、ロックキー５０とリリース部４７が近づくことになる。
【００２０】
PC受け部４０が所定の位置まで退行すると、ロックキー５０とリリース部４７が当接する。ロックキー５０の手前側には、傾斜した面を設けており、側方突部分が内側に回転した状態のため、手前側先端は外側に回転した位置となり、この傾斜面がリリース部４７と当接することになる。
スリット４に沿って移動するリリース部４７は、ロックキー５０の回転軸５２より内側でロックキー５０の傾斜面を押すため、ロックキー５０はタブレットPCケース２０のロックキー用穴２１と係合している側方突部分を外側に回転させることになる。すると、ロックキー５０の側方突部分は、ロックキー用穴２１との係合が解除されることになる。
【００２１】
このようにPC受け部４０が手前側に退行し、ロックキー５０による固定が解除された状態では、PCがインストルメントパネル１２の挿入口１４から突出した状態となるので、車両の使用者がPCを手で取り出せばよい。
【００２２】
［PCの保持］
実施例１において、PCを使用者が取り出す際に、PCをインストルメントパネル１２の挿入口１４から突出させた状態では、PCは、その重量及び重心をもPC受け部４０で充分に受けた状態であり、後端部４５、リリース部３１により充分に動きを制限された状態であるので、車両の振動や、車両の傾斜等によりPCが飛び出してしまうようなことがない。
【００２３】
次に、効果を説明する。
実施例１の携帯型パーソナルコンピュータロック構造にあっては、下記に列挙する効果を得ることができる。
【００２４】
(1)車両のインストルメントパネル１２内部に設けられ、PCを取り外し自在に車両に取り付ける手段と、PCによる表示を車両で行う車載装置とを備えた携帯型パーソナルコンピュータ車載装置における携帯型パーソナルコンピュータロック構造であって、PCの底面を支持し、PCを固定するロックキー５０を有するPC受け部４０と、PC受け部４０の左右両側を進退自在に支持するアウターケース３０と、PC受け部４０がアウターケース３０に対して手前の所定位置までスライドすると、リリース部３１がロックキー５２によるPCの固定を解除するため、車両乗員が普段使用している携帯型端末を車に取り付けて使用できるので、車外の家庭や会社等と車内をシームレスにして使用することができ、非常に便利なパーソナルコンピュータの使用状況にでき、多機能の車載装置の表示ができるパーソナル車載装置において、安全かつ簡便に大型のモニタを有する携帯端末を着脱できる。
【００２５】
(2)PCを収容するタブレットPCケース２０の左右側面は、矩形に凹んだロックキー用穴２１を有し、PC受け部４０は、PCの奥側端を受ける後端部４５を有し、ロック手段は、凹部の左右外側の前記スライド支持部上でスライド方向に円接する回転方向に回転自在なロックキー５０と、ロックキー５０の回転中心より奥側の溝５１をロックキー用穴２１に向かって付勢するスプリング５３とを備え、ロックキー５０は、回転軸５２より奥側の溝５１に近い位置でかつ内側に突出した位置から手前側の端部でロックキー用穴２１から遠い位置までの傾斜面を有すものであり、解除手段は、ロックキー５０の回転軸５２とタブレットPCケース２０のロックキー用穴２１の間で、PC受け部４０に進退方向に長く設けたスリット４４と、アウターケース３０の一部をスリット４４の下方から上方に突出させるように設けたリリース部３１とからなり、PCをPC受け部４０の奥側に差し込むと、スプリング５３で付勢されたロックキー５０の側方突部分の端面がロックキー用穴２１と係合して固定し、PCとPC受け部４０をアウターケース３０に対して手前側にスライドさせると、スリット４４にそってリリース部３１が移動しロックキー５０の傾斜面と係合してロックキー５０が回転し固定が解除するため、PCを収容後、下降させる構成を取ることなく、確実に固定して使用でき、また、特別な構成を取ることなくPCの固定を解除できる。
【００２６】
(3)PCは、左右側面に、矩形に凹んだロックキー用穴２１を有するタブレットPCケース２０を取り付けたものであり、大きさが所定の範囲内で違うPCを取り付ける取付手段をタブレットPCケース２０に設けたため、形状の異なるPCを車載することができる。
【００２７】
(4)PC受け部４０は、車載装置側のコネクタ４６をPC受け部４０に配置し、ロックキー５０によりPCの奥側面がPC受け部４０の後端部４５に押し付けられることにより、PCのコネクタ２２と、PC受け部４０の後端部４５の車載装置側のコネクタ４６とが接続するため、PCを車載させて使用する際に、確実にPCと車両側のデータのやり取りや電源供給ができる。
【００２８】
以上、本発明の携帯型パーソナルコンピュータロック構造を実施例１に基づき説明してきたが、具体的な構成については、これらの実施例に限られるものではなく、特許請求の範囲の各請求項に係る発明の要旨を逸脱しない限り、設計の変更や追加等は許容される。
【００２９】
実施例１では、PCをタブレットPCケースに収容して、そのタブレットPCケースを車載したが、PCを直接車載してもよい。
【図面の簡単な説明】
【００３０】
【図１】実施例１の携帯型パーソナルコンピュータロック構造を示す斜視図である。
【図２】実施例１の携帯型パーソナルコンピュータロック構造を用いた携帯型パーソナルコンピュータロック車載装置の説明図である。
【図３】実施例１の携帯型パーソナルコンピュータロック構造の説明図である。
【図４】実施例１の携帯型パーソナルコンピュータロック構造のPC取り付けの作動状態を示す説明図である。
【図５】実施例１の携帯型パーソナルコンピュータ構造のPC取り外しの作動状態を示す説明図である。
【符号の説明】
【００３１】
１  車室内
１２  インストルメントパネル
１３  表示部
１４  挿入口
２０  タブレットPCケース
２１  ロックキー用穴
２２  コネクタ
３０  アウターケース
３０ａ  平面部
３０ｂ  側部
３１  リリース部
３２  アウタースライドレール
４０  PC受け部
４０ａ  平面部
４０ｂ  側部
４１  固定穴
４２  回転軸受け
４４  スリット
４５  後端部
４６  コネクタ
４７  インナースライドレール
５０  ロックキー
５１  溝
５２  回転軸
５３  スプリング
６０  制御ユニット
７１  ラック
７２  モータ
７３  回転検知センサ
ＰＣ  携帯型パーソナルコンピュータ
【図１】
2006062399.tif 000003
【図２】
2006062399.tif 000004
【図３】
2006062399.tif 000005
【図４】
2006062399.tif 000006
【図５】
2006062399.tif 000007